(57)【特許請求の範囲】
【請求項１】
内面に第１突出部を有する外筒と、
前記外筒内に回転可能に収容され、鍵穴を有する内筒と、
前記外筒内に前記内筒とともに回転可能に収容されて、前記第１突出部に係止されて第１回転位置で前記内筒の回転を制限する第１位置と、前記第１突出部に係止されずに前記第１回転位置で前記内筒の回転を制限しない第２位置との間を前記内筒に対して移動可能な移動部材と
を備えるシリンダ錠。
【請求項２】
前記外筒は、前記内面の前記第１突出部とは異なる位置に第２突出部を有し、
前記内筒に対して前記第２位置にある前記移動部材は、前記第１回転位置で前記内筒の回転を制限せずにさらに前記内筒とともに回転し、前記第２突出部に係止されて第２回転位置で前記内筒の回転を制限する、請求項１に記載のシリンダ錠。
【請求項３】
前記シリンダ錠は、鍵コードを変更可能であり、
前記第１回転位置および前記第２回転位置のそれぞれは、鍵コードをリセット可能なリセット位置である、請求項２に記載のシリンダ錠。
【請求項４】
前記第２突出部は、前記外筒の内面から前記第１突出部より高く突出し、
前記移動部材は、前記第１位置から前記第２位置に移動すると、前記移動部材の前記外筒の内面に対向する部分が前記外筒の内面から遠ざかる、
請求項２または請求項３に記載のシリンダ錠。
【請求項５】
前記内筒は、前記鍵穴に連通した前記移動部材を移動可能に収容する溝を有する、請求項１から請求項４のいずれか１つに記載のシリンダ錠。
【請求項６】
前記移動部材は、前記内筒に固定された弾性体を介して前記溝内で前記内筒に対して支持されており、
前記移動部材は、前記鍵穴に挿入された挿入部材により押されることで前記弾性体の収縮を伴って前記溝に沿って前記第１位置から前記第２位置に移動し、前記挿入部材が前記鍵穴から抜かれると、前記弾性体の復元力により前記第２位置から前記第１位置に戻る、請求項５に記載のシリンダ錠。
【請求項７】
前記移動部材は、前記挿入部材として前記鍵穴に挿入された予め定められた鍵により押されることで、前記第１位置から前記第２位置に移動する、請求項６に記載のシリンダ錠。
【発明の詳細な説明】
【技術分野】
【０００１】
本発明は、シリンダ錠に関する。
【背景技術】
【０００２】
特許文献１および特許文献２には、キーコードを変更可能なシリンダ錠が開示されている。
特許文献１  特開２００８−５７３３５号公報
特許文献２  特開２００９−２２００９７号公報
【発明の概要】
【発明が解決しようとする課題】
【０００３】
遊技機などに用いられるシリンダ錠において、流通過程などで不正に錠が開けられたことを把握できるようにすることが望まれている。
【課題を解決するための手段】
【０００４】
本発明の一態様に係るシリンダ錠は、内面に第１突出部を有する外筒と、外筒内に回転可能に収容され、鍵穴を有する内筒と、外筒内に内筒とともに回転可能に収容されて、第１突出部に係止されて第１回転位置で内筒の回転を制限する第１位置と、第１突出部に係止されずに第１回転位置で内筒の回転を制限しない第２位置との間を内筒に対して移動可能な移動部材とを備える。
【０００５】
上記シリンダ錠において、外筒は、内面の第１突出部とは異なる位置に第２突出部を有し、内筒に対して第２位置にある移動部材は、第１回転位置で内筒の回転を制限せずにさらに内筒とともに回転し、第２突出部に係止されて第２回転位置で内筒の回転を制限してもよい。
【０００６】
上記シリンダ錠は、鍵コードを変更可能であり、第１回転位置および第２回転位置のそれぞれは、鍵コードをリセット可能なリセット位置でよい。
【０００７】
上記シリンダ錠において、第２突出部は、外筒の内面から第１突出部より高く突出し、移動部材は、第１位置から第２位置に移動すると、移動部材の外筒の内面に対向する部分が外筒の内面から遠ざかってよい。
【０００８】
上記シリンダ錠において、内筒は、鍵穴に連通した移動部材を移動可能に収容する溝を有してよい。
【０００９】
上記シリンダ錠において、移動部材は、内筒に固定された弾性体を介して溝内で内筒に対して支持されており、移動部材は、鍵穴に挿入された挿入部材により押されることで弾性体の収縮を伴って溝に沿って第１位置から第２位置に移動し、挿入部材が鍵穴から抜かれると、弾性体の復元力により第２位置から第１位置に戻ってよい。
【００１０】
上記シリンダ錠において、移動部材は、挿入部材として鍵穴に挿入された予め定められた鍵により押されることで、第１位置から第２位置に移動してよい。
【００１１】
なお、上記の発明の概要は、本発明の特徴の全てを列挙したものではない。また、これらの特徴群のサブコンビネーションもまた、発明となりうる。
【図面の簡単な説明】
【００１２】
【図１】本実施形態に係るシリンダ錠の外観斜視図の一例を示す図である。
【図２Ａ】本実施形態に係るシリンダ錠の分解斜視図の一例を示す図である。
【図２Ｂ】第１位置にある移動部材を併せて示した外筒の断面図の一例である。
【図２Ｃ】第２位置にある移動部材を併せて示した外筒の断面図の一例である。
【図３】本実施形態に係るシリンダ錠の断面図の一例である。
【図４】シリンダ錠に特殊鍵が挿入される様子を示す図である。
【図５】鍵穴に特殊鍵が挿入された状態のシリンダ錠の断面図の一例である。
【図６Ａ】特殊鍵が鍵穴に挿入され、特殊鍵を時計回りに回した場合の移動部材の動きを示す図である。
【図６Ｂ】特殊鍵が鍵穴に挿入され、特殊鍵を反時計回りに回した場合の移動部材の動きを示す図である。
【図７】特殊鍵を用いて内筒を第２回転位置まで回転させたシリンダ錠の様子を示す図である。
【図８】シリンダ錠に一般鍵が挿入される様子を示す図である。
【図９】鍵穴に一般鍵が挿入された状態のシリンダ錠の断面図の一例である。
【図１０Ａ】一般鍵が鍵穴に挿入され、一般鍵を時計回りに回した場合の移動部材の動きを示す図である。
【図１０Ｂ】一般鍵が鍵穴に挿入され、一般鍵を反時計回りに回した場合の移動部材の動きを示す図である。
【図１１】一般鍵を用いて内筒を第１回転位置まで回転させたシリンダ錠の様子を示す図である。
【発明を実施するための形態】
【００１３】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１４】
図１は、本実施形態に係るシリンダ錠１０の外観斜視図の一例を示す図である。シリンダ錠１０は、キーコードを変更可能なシリンダ錠である。シリンダ錠１０は、外筒２０、内筒３０、基台４０を備える。外筒２０は、回転軸を中心に内筒３０を回転可能に収容する。内筒３０は、鍵が挿入される鍵穴３１を有する。外筒２０は、内部に回転可能に内筒３０を収容して、基台４０に固定される。
【００１５】
シリンダ錠１０は、例えば、パチンコ台またはスロット台などの遊技機を施錠するのに用いられてよい。遊技機は、例えば、枠、遊技機本体、およびカバーを備える。遊技機は、枠を介して遊技場の島設備に固定される。カバーは、遊技機本体に設けられた遊技盤を視認可能に覆う。
【００１６】
シリンダ錠１０は、例えば、遊技機本体が有する取付穴に設けられ、枠に対する遊技機本体の施錠を行う。シリンダ錠１０は、遊技機本体に対するカバーの施錠をさらに行う。例えば、鍵がシリンダ錠１０に対して時計回りに回転されることで、シリンダ錠１０は、枠に対する遊技機本体の施錠状態を開錠状態にする。また、鍵がシリンダ錠１０に対して反時計回りに回転されることで、シリンダ錠１０は、遊技機本体に対するカバーの施錠状態を開錠状態にする。
【００１７】
シリンダ錠１０に用いられる鍵には、一般鍵および固有鍵がある。さらに、シリンダ錠１０に用いられる鍵には、特殊鍵がある。一般鍵、固有鍵、および特殊鍵を総称して鍵と称する場合もある。一般鍵は、複数のシリンダ錠に共通のキーコードを有する鍵である。一般鍵は、例えば、複数の店舗で共通の鍵である。一般鍵は、入手が比較的容易で、固有鍵よりセキュリティが低い鍵である。固有鍵は、固有のキーコードを有する鍵である。固有鍵は、例えば、店舗毎に異なる鍵である。固有鍵は、入手に制限があり、不正に入手することが困難であり、一般鍵よりセキュリティが高い鍵である。特殊鍵は、挿入部材の一例であり、一般鍵および固有鍵とは異なる鍵である。特殊鍵は、予め定められた鍵の一例である。特殊鍵は、一般鍵と同様に、複数のシリンダ錠に共通のキーコードを有する鍵でよい。しかし、一般鍵とは異なり、不正に入手することが困難な鍵である。特殊鍵についての詳細は後述する。
【００１８】
シリンダ錠の出荷時には、店舗などの設置場所の固有鍵のキーコードが不明である場合が多い。例えば、複数のホールに用いられる大量の遊技機がトラックで輸送されることがある。また、大量の遊技機が一旦流通倉庫に保管された後、各ホールに分配されることがある。また、ホールに設置される遊技機の台数が変更されることもある。このように、遊技機は、設置されるまでどのホールに設置されるか確定できない場合が多い。
【００１９】
そこで、一般に、シリンダ錠は、ホールへの設置時の便宜性を確保するために、開錠可能なキーコードとして、一般鍵のキーコードが設定された状態で出荷される。開錠可能なキーコードとして一般鍵のキーコードが設定されていることで、遊技機の出荷前の検査、または着荷後の検査を容易に実施することができる。
【００２０】
ホールの管理者は、遊技機がホールに設置された後に、一般鍵を用いてシリンダ錠のキーコードをリセットして、そのホールに固有の固有鍵を用いて固有鍵のキーコードをシリンダ錠の施錠可能なキーコードに設定する。これにより、シリンダ錠は、ホールに固有の固有鍵でのみ開錠および施錠されることができ、セキュリティを高めることができる。
【００２１】
しかしながら、遊技機に設けられたシリンダ錠のキーコードが一般鍵のキーコードに設定されている場合、遊技機が出荷され、ホールに設置されるまでの間に、不特定の人が入手可能な一般鍵を用いて遊技機に不正行為が行われる可能性がある。例えば、遊技機の流通倉庫に保管されている遊技機に対して、不正に部品交換などが行われる可能性がある。したがって、流通過程などにおいて不正にシリンダ錠が開錠されたことを把握できることが望ましい。
【００２２】
本実施形態に係るシリンダ錠１０において、内筒３０は、施錠された状態を示す基準位置２４ａから一般鍵または固有鍵を用いてキーコードをリセット可能な位置を示す第１回転位置２４ｂまで回転できる。また、内筒３０は、基準位置２４ａから特殊鍵を用いてキーコードをリセット可能な別の位置を示す第２回転位置２４ｃまでさらに回転できる。内筒３０は、特殊鍵を用いなければ、第２回転位置２４ｃまで回転できない。
【００２３】
例えば、シリンダ錠１０は、内筒３０の位置を第２回転位置２４ｃにした状態で出荷される。したがって、例えば、一旦、流通過程などにおいて一般鍵を用いて開錠した後、改めてリセット可能な位置まで内筒３０を戻そうとしても、内筒３０は、第１回転位置２４ｂまでしか回転できない。よって、内筒３０が第２回転位置２４ｃにあるか否かを判別することで、流通過程などにおいて不正にシリンダ錠１０が開錠された可能性があるか否かを判断できる。
【００２４】
図２Ａは、本実施形態に係るシリンダ錠１０の分解斜視図の一例を示す図である。シリンダ錠１０は、移動部材３２、バネ３３、および固定部３４をさらに備える。バネ３３は、弾性体の一例である。
【００２５】
図２Ｂおよび図２Ｃは、外筒２０の断面図の一例である。図２Ｂおよび図２Ｃでは、外筒２０内での移動部材３２の位置を示すために、外筒２０の開口２１および移動部材３２も図示している。図３は、シリンダ錠１０の断面図の一例を示す。
【００２６】
外筒２０は、前面に内筒３０の鍵穴３１を露出する開口２１を有する。開口２１は、基準位置２４ａ、第１回転位置２４ｂ、および第２回転位置２４ｃのそれぞれで鍵の抜き差しを可能にするための切り欠きを含む。外筒２０は、図２Ｂおよび図２Ｃに示すように、内面２５に、回転軸Ｐ側に突出する第１突出部２２、および第１突出部２２よりさらに回転軸Ｐ側に突出する第１突出部２２とは異なる第２突出部２３を有する。第２突出部２３は、外筒２０の内面２５から第１突出部２２より高く突出している。
【００２７】
図２Ｂは、外筒２０の第１突出部２２に係止されて第１回転位置２４ｂで内筒３０の回転を制限する第１位置にある移動部材３２を示す。図２Ｃは、第１突出部２２に係止されずに第１回転位置２４ｂで内筒３０の回転を制限せず、内筒３０とともにさらに回転し、第２突出部２３に係止されて第２回転位置２４ｃで内筒３０の回転を制限する第２位置にある移動部材３２を示す。
【００２８】
移動部材３２は、外筒２０内に内筒３０とともに回転可能に収容されて、外筒２０の第１突出部２２に係止されて第１回転位置２４ｂで内筒３０の回転を制限する第１位置（図２Ｂ）と、第１突出部２２に係止されずに第１回転位置２４ｂで内筒３０の回転を制限しない第２位置（図２Ｃ）との間を内筒３０に対して移動可能である。
【００２９】
内筒３０に対して第１位置にある移動部材３２の第１係止部３２ａの先端部分と内面２５との間の距離Ｇｂは、内筒３０に対して第２位置にある移動部材３２の第１係止部３２ａの先端部分と内面２５との間の距離Ｇｃより短い。言い換えれば、第２位置にある移動部材３２の第１係止部３２ａの先端部分は、第１位置にある移動部材３２の第１係止部３２ａの先端部分より内面２５から遠ざかっている。よって、一方、第１位置にある移動部材３２が反時計回りに内筒３０とともに回転した場合、移動部材３２の第１係止部３２ａは、第１突出部２２により係止される。第２位置にある移動部材３２が反時計回りに内筒３０とともに回転した場合、移動部材３２の第１係止部３２ａは、第１突出部２２には係止されずに、さらに反時計回りに回転し、第２突出部２３により係止される。
【００３０】
内筒３０は、図２Ａに示すように、鍵穴３１に連通した移動部材３２を移動可能に収容する溝３５を有する。移動部材３２は、溝３５を内筒３０の回転軸と垂直な方向に移動可能である。移動部材３２は、第１位置にある場合、内筒３０が第１回転位置２４ｂにあるときに第１突出部２２に係止され、第２位置にある場合、内筒３０が第２回転位置２４ｃにあるときに第２突出部２３に係止される第１係止部３２ａを含む。第１係止部３２ａは、移動部材３２の外筒２０の内面２５に対向する部分である。
【００３１】
移動部材３２は、溝３５を介して鍵穴３１から露出し、鍵穴３１に挿入された特殊鍵により押される露出部３２ｂを含む。図３に示すように、鍵穴３１に特殊鍵などの鍵が挿入されていない状態において、移動部材３２の露出部３２ｂは、鍵穴３１から露出している。移動部材３２は、鍵穴３１に挿入された特殊鍵により露出部３２ｂが押されることで、内筒３０の回転軸と垂直な方向に、第１位置から第２位置に移動する。移動部材３２は、第１位置から第２位置に移動すると、移動部材３２の外筒の内面２５に対向する部分である第１係止部３２ａが外筒の内面２５から遠ざかる。
【００３２】
さらに、移動部材３２は、図２Ａに示すように、バネ３３が係止される第２係止部３２ｃを含む。固定部３４は、内筒３０に固定され、バネ３３を介して移動部材３２を内筒３０の回転軸と垂直方向に移動可能に溝３５内に支持する。移動部材３２は、鍵穴３１に挿入された特殊鍵により押されることでバネ３３の収縮を伴って溝３５に沿って第１位置から第２位置に移動し、特殊鍵が鍵穴３１から抜かれると、バネ３３の復元力により第２位置から第１位置に戻る。つまり、移動部材３２は、特殊鍵が鍵穴３１に挿入されているときのみ第２位置にある。
【００３３】
図４は、シリンダ錠１０に特殊鍵１００が挿入される様子を示す図である。特殊鍵１００は、鍵穴３１に挿入されたときに移動部材３２の露出部３２ｂを押す形状になっている先端部１０２を有する。特殊鍵１００が鍵穴３１に挿入されると、図５に示すように、特殊鍵１００の先端部１０２により露出部３２ｂが押されて、移動部材３２が第１位置から第２位置に移動する。
【００３４】
図６Ａは、特殊鍵１００が鍵穴３１に挿入され、特殊鍵１００を時計回りに回した場合の移動部材３２の動きを示す図である。図６Ｂは、特殊鍵１００が鍵穴３１に挿入され、特殊鍵１００を反時計回りに回した場合の移動部材３２の動きを示す図である。
【００３５】
図６Ａに示すように、特殊鍵１００を時計回りに回した場合、移動部材３２の第１係止部３２ａが第２突出部２３の一方の壁に係止され、内筒３０の回転を第３回転位置で制限する。一方、図６Ｂに示すように、特殊鍵１００を反時計回りに回した場合、移動部材３２の第１係止部３２ａが外筒２０の内面２５から遠ざかっているので、第１回転位置２４ｂで、移動部材３２の第１係止部３２ａは、第１突出部２２の壁に係止されず、移動部材３２は、内筒３０とともにさらに反時計回りに回転する。そして、移動部材３２の第１係止部３２ａは、第２突出部２３の他方の壁に係止され、内筒３０の回転を第２回転位置２４ｃで制限する。図７は、特殊鍵１００を用いて内筒３０を第２回転位置２４ｃまで回転させたシリンダ錠１０の様子を示す図である。このように、特殊鍵１００を用いて内筒３０を回転させると、内筒３０は、第２回転位置２４ｃまで回転できる。
【００３６】
図８は、シリンダ錠１０に一般鍵１１０が挿入される様子を示す図である。一般鍵１１０は、鍵穴３１に挿入されたときに移動部材３２の露出部３２ｂを押さない形状になっている先端部１１２を有する。一般鍵１１０が鍵穴３１に挿入されても、図９に示すように、一般鍵１１０の先端部１１２により露出部３２ｂは押されず、移動部材３２は第１位置に留まる。よって、移動部材３２の第１係止部３２ａは、内筒３０の側面から突出している。
【００３７】
図１０Ａは、一般鍵１１０が鍵穴３１に挿入され、一般鍵１１０を時計回りに回した場合の移動部材３２の動きを示す図である。図１０Ｂは、一般鍵１１０が鍵穴３１に挿入され、一般鍵１１０を反時計回りに回した場合の移動部材３２の動きを示す図である。
【００３８】
図１０Ａに示すように、一般鍵１１０を時計回りに回した場合、特殊鍵１００の場合と同様に、移動部材３２の第１係止部３２ａが第２突出部２３の一方の壁に係止され、内筒３０の回転を第３回転位置で制限する。一方、図１０Ｂに示すように、一般鍵１１０を反時計回りに回した場合、移動部材３２の第１係止部３２ａが外筒２０の内面２５から遠ざかっていないので、第１回転位置２４ｂで、移動部材３２の第１係止部３２ａが第１突出部２２の壁に係止され、内筒３０の回転を第１回転位置２４ｂで制限する。よって、内筒３０は、第２回転位置２４ｃまで回転できない。図１１は、一般鍵１１０を用いて内筒３０を第１回転位置２４ｂまで回転させたシリンダ錠１０の様子を示す図である。このように、一般鍵１１０を用いて内筒３０を回転させると、内筒３０は、第１回転位置２４ｂまでしか回転できない。
【００３９】
以上のように、本実施形態によれば、内筒３０は、施錠された状態を示す基準位置２４ａから一般鍵１１０（または固有鍵）を用いてキーコードをリセット可能な位置を示す第１回転位置２４ｂまで回転できる。一方、内筒３０は、基準位置２４ａから特殊鍵１００を用いてキーコードをリセット可能な別の位置を示す第２回転位置２４ｃまでさらに回転できる。内筒３０は、特殊鍵１００を用いなければ、第２回転位置２４ｃまで回転できない。したがって、例えば、内筒３０が第２回転位置２４ｃにしてあるシリンダ錠１０を、一旦、流通過程などにおいて一般鍵１１０を用いて開錠した場合、改めてリセット可能な位置まで内筒３０を戻そうとしても、内筒３０は、第１回転位置２４ｂまでしか回転できない。つまり、内筒３０を第２回転位置２４ｃまで戻すことができない。よって、内筒３０が第２回転位置２４ｃにあるか否かを判別することで、流通過程などにおいて不正にシリンダ錠１０が開錠された可能性があるか否かを判断できる。
【００４０】
なお、本実施形態では、移動部材３２は、特殊鍵１００により押されて、内筒３０の回転軸と垂直方向に移動することで、内筒３０とともに回転した場合に、第１突出部２２を回避する例について説明した。移動部材３２は、特殊鍵１００により押されて、内筒３０の回転軸方向に傾くことで、第１係止部３２ａが外筒２０の内面２５から遠ざかり、内筒３０とともに回転した場合に、第１突出部２２を回避してもよい。
【００４１】
また、本実施形態では、特殊鍵１００を鍵穴３１に挿入することで、移動部材３２を第１位置から第２位置まで移動させる形態について説明した。しかし、移動部材３２は、任意のユーザにより第１位置から第２位置まで移動できなければ、特殊鍵１００を鍵穴３１に挿入する方法以外の方法で、移動部材３２を第１位置から第２位置まで移動させてもよい。例えば、移動部材３２を第１位置から第２位置まで物理的にまたは電気的に移動させることができる入手が制限されている特殊工具を用いてもよい。この場合、特殊工具を鍵穴３１に挿入して用いてもよいし、例えば、鍵穴３１以外の部分のボタンなどを特殊工具により押すことで、移動部材３２を物理的にまたは電気的に第１位置から第２位置まで移動させてもよい。
【００４２】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００４３】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００４４】
１０  シリンダ錠
２０  外筒
２１  開口
２２  第１突出部
２３  第２突出部
２４ａ  基準位置
２４ｂ  第１回転位置
２４ｃ  第２回転位置
２５  内面
３０  内筒
３１  鍵穴
３２  移動部材
３２ａ  第１係止部
３２ｂ  露出部
３２ｃ  第２係止部
３３  バネ
３４  固定部
３５  溝
４０  基台
１００  特殊鍵
１１０  一般鍵
【図１】
0006361490.tif 000002
【図２Ａ】
0006361490.tif 000003
【図２Ｂ】
0006361490.tif 000004
【図２Ｃ】
0006361490.tif 000005
【図３】
0006361490.tif 000006
【図４】
0006361490.tif 000007
【図５】
0006361490.tif 000008
【図６Ａ】
0006361490.tif 000009
【図６Ｂ】
0006361490.tif 000010
【図７】
0006361490.tif 000011
【図８】
0006361490.tif 000012
【図９】
0006361490.tif 000013
【図１０Ａ】
0006361490.tif 000014
【図１０Ｂ】
0006361490.tif 000015
【図１１】
0006361490.tif 000016